(57)【要約】【課題】  駆動手段の位置関係を維持しながらレンズと撮像素子とのピント調整を行うことができ、安定した品質のレンズ駆動装置を提供すること。【解決手段】  このレンズ駆動装置１では、レンズ１４を備えたレンズ鏡筒１０ｂおよびレンズ鏡筒１０ｂを光軸１１の方向に移動可能に支持する鏡筒ホルダ１０ａから移動レンズ体１０が構成されている。また、鏡筒ホルダ１０ａが駆動マグネット１６を有し、移動レンズ体１０を光軸１１の方向に移動可能に支持するケース体２４が、第１および第２駆動コイル有するとともに鏡筒ホルダ１０ａの光軸１１の方向の移動範囲を規制する内筒部２６ｂの端面２７および内筒部４２ｂの突出縁３６を有している。駆動マグネット１６と第１および第２駆動コイルの磁気吸引力または磁気反発力によって移動レンズ体１０を移動させる。【選択図】  図１
2005165210.tif 000002
【特許請求の範囲】
【請求項１】
レンズを備えた移動レンズ体と、この移動レンズ体をレンズの光軸方向に移動させる駆動手段と、前記移動レンズ体を光軸方向に移動可能に支持する固定体とを有するレンズ駆動装置において、
前記移動レンズ体は、レンズを備えたレンズ鏡筒と当該レンズ鏡筒を光軸方向に移動可能に支持する鏡筒ホルダとから構成され、該鏡筒ホルダが、前記駆動手段としての第１の磁気的手段を有し、前記固定体が、前記駆動手段としての第２の磁気的手段を有するとともに前記鏡筒ホルダの光軸方向の移動範囲を規制する規制部を有し、前記第１の磁気的手段と前記第２の磁気的手段との磁気吸引力または磁気反発力によって前記移動レンズ体を移動させることを特徴とするレンズ駆動装置。
【請求項２】
請求項１において、前記鏡筒ホルダを円筒状に形成して内周に雌ねじ部を形成し、前記レンズ鏡筒の外周に雄ねじ部を形成して当該雄ねじ部を前記雌ねじ部と螺合し、前記鏡筒ホルダと前記レンズ鏡筒とを相対的に回転させることにより前記レンズ鏡筒を光軸方向に移動させることを特徴とするレンズ駆動装置。
【請求項３】
請求項１または２項記載のレンズ駆動装置を製造する製造方法において、前記固定体は、前記移動レンズ体を内部に収納するケース体により構成し、当該ケース体を少なくとも２つに分割可能に構成してそれぞれをケース半体とし、前記鏡筒ホルダを一方の前記ケース半体に設けられた前記規制部としての当接部に当接させるとともに、他方の前記ケース半体に設けられた前記規制部としての当接部と前記鏡筒ホルダとの間にスペーサを狭持するように前記一方のケース半体と前記他方のケース半体とを光軸方向に相対移動させた後、前記一方のケース半体と前記他方のケース半体とを固定し、その後に前記スペーサを抜き取ったことを特徴とするレンズ駆動装置の製造方法。
【請求項４】
請求項１または２項記載のレンズ駆動装置を製造する製造方法において、前記固定体は、前記移動レンズ体を内部に収納するケース体により構成し、当該ケース体を少なくとも２つに分割可能に構成してそれぞれをケース半体とし、一方の前記ケース半体と他方の前記ケース半体とにそれぞれ前記鏡筒ホルダを挟持する前記規制部としての当接部を設け、該当接部の間の隙間を調整して前記一方のケース半体と前記他方のケース半体とを固定した後、前記ケース半体に前記レンズを透過した像が結像される撮像素子を固定し、その後、前記レンズ鏡筒と鏡筒ホルダとを光軸方向に相対的に移動させて前記レンズと前記撮像素子とのピントを調整したことを特徴とするレンズ駆動装置の製造方法。
【発明の詳細な説明】
【技術分野】
【０００１】
本発明は、カメラ付き携帯電話のカメラなど、比較的小型のカメラ等に用いられるレンズの駆動装置およびその製造方法に関する。
【背景技術】
【０００２】
カメラが搭載された携帯電話では、片手で携帯電話を持って自己の顔やその他の近接位置となる被写体を撮影する場合が多い。このため、この種のカメラに用いられる撮影レンズ系は、接写撮影機能を保有しているものが多い。このような接写撮影機能を有する撮影レンズ系の場合、通常の撮影を行うときのレンズ位置と接写撮影すなわちマクロ撮影を行うときのレンズ位置が異なるものとなる。すなわち、接写撮影時のレンズ位置は、通常撮影時のレンズ位置よりも僅かに一定の距離だけ被写体側に近づけた位置になる。
【０００３】
このため、この種の撮影レンズ系では、レンズ位置を通常の撮影位置とマクロ撮影位置との間で移動させるための磁気駆動機構を備え、スイッチの切り換えによって磁気駆動機構を駆動し、上述の２点の撮影位置の間をレンズが移動するようになっている。
【０００４】
従来、撮影レンズ系のピントは、単に部品精度を高めることで確保したり、ピントの調整を行う場合は、通常の撮影を行うときのレンズ位置、マクロ撮影を行うときのレンズ位置またはその双方にレンズ鏡筒を移動することにより、撮像素子上にピントが合うように調整していた。また、撮像素子はユーザ側で取り付けることが多いので、撮像素子を取り付ける前にＣＣＤカメラ等でピントの確認をしていた。
【発明の開示】
【発明が解決しようとする課題】
【０００５】
しかしながら、小型カメラ、特に携帯電話のカメラ部は、直径１０ｍｍ程度ときわめて小さいことと焦点距離が極めて短いこととにより部品精度を確保しても取り付け誤差が生じ易く、ピントがずれてしまう問題があった。また、磁気的な駆動手段を備えたレンズ鏡筒を光軸方向に移動させてピント調整を行う場合は、レンズ鏡筒に備えられた駆動手段と固定体側の駆動手段との位置関係が変化して推力バランスが変化してしまうため、通常の撮影位置とマクロ撮影位置との間でレンズ鏡筒を移動させる際に、レンズ鏡筒の動作が不安定になったり、レンズ鏡筒の停止位置によっては、最悪の場合、再駆動できないという問題があった。動作不良を回避するためには、駆動手段の推力を大きくすることにより回避可能であるが、駆動手段が大型化し、レンズ駆動装置の大型化が避けられない。さらに、撮像素子を取り付ける前に、ＣＣＤカメラを用いて精度良くピント調整を行っても、その後、撮像素子を取り付けるため、撮像素子の寸法誤差や撮像素子の取り付け誤差で、レンズと撮像素子とのピントがずれてしまい、安定した品質のレンズ駆動装置を提供できないという問題点があった。
【０００６】
以上の問題点に鑑みて、本発明の課題は、駆動手段の位置関係を維持しながらレンズと撮像素子とのピント調整を行うことができ、安定した品質のレンズ駆動装置を提供することにある。
【課題を解決するための手段】
【０００７】
上述の課題を解決するため、本発明は、レンズを備えた移動レンズ体と、この移動レンズ体をレンズの光軸方向に移動させる駆動手段と、前記移動レンズ体を光軸方向に移動可能に支持する固定体とを有するレンズ駆動装置において、前記移動レンズ体は、レンズを備えたレンズ鏡筒と当該レンズ鏡筒を光軸方向に移動可能に支持する鏡筒ホルダとから構成され、該鏡筒ホルダが、前記駆動手段としての第１の磁気的手段を有し、前記固定体が、前記駆動手段としての第２の磁気的手段を有するとともに前記鏡筒ホルダの光軸方向の移動範囲を規制する規制部を有し、前記第１の磁気的手段と前記第２の磁気的手段との磁気吸引力または磁気反発力によって前記移動レンズ体を移動させることを特徴とする。
【０００８】
本発明において、前記鏡筒ホルダを円筒状に形成して内周に雌ねじ部を形成し、前記レンズ鏡筒の外周に雄ねじ部を形成して当該雄ねじ部を前記雌ねじ部と螺合し、前記鏡筒ホルダと前記レンズ鏡筒とを相対的に回転させることにより前記レンズ鏡筒を光軸方向に移動させることが好ましい。このように構成すると、レンズ鏡筒をねじの螺合によって鏡筒ホルダに支持させることができるため、ピントの調整作業は元より、調整後レンズ鏡筒と鏡筒ホルダとの固定作業を容易、且つ確実に行うことができる。
【０００９】
本発明に係わるレンズ駆動装置を製造するにあたっては、前記固定体は、前記移動レンズ体を内部に収納するケース体により構成し、当該ケース体を少なくとも２つに分割可能に構成してそれぞれをケース半体とし、前記鏡筒ホルダを一方の前記ケース半体に設けられた前記規制部としての当接部に当接させるとともに、他方の前記ケース半体に設けられた前記規制部としての当接部と前記鏡筒ホルダとの間にスペーサを狭持するように前記一方のケース半体と前記他方のケース半体とを光軸方向に相対移動させた後、前記一方のケース半体と前記他方のケース半体とを固定し、その後に前記スペーサを抜き取ることが好ましい。このように構成すると、スペーサの厚みに相当する鏡筒ホルダのストロークを形成することができる。すなわち、固定体の規制部による鏡筒ホルダのストロークを容易、且つ確実に形成することができる。
【００１０】
本発明に係わるレンズ駆動装置を製造するにあたっては、前記固定体は、前記移動レンズ体を内部に収納するケース体により構成し、当該ケース体を少なくとも２つに分割可能に構成してそれぞれをケース半体とし、一方の前記ケース半体と他方の前記ケース半体とにそれぞれ前記鏡筒ホルダを挟持する前記規制部としての当接部を設け、該当接部の間の隙間を調整して前記一方のケース半体と前記他方のケース半体とを固定した後、前記ケース半体に前記レンズを透過した像が結像される撮像素子を固定し、その後、前記レンズ鏡筒と鏡筒ホルダとを光軸方向に相対的に移動させて前記レンズと前記撮像素子とのピントを調整することが好ましい。このように構成すると、撮像素子の寸法精度が悪かったり、また撮像素子の取り付け誤差が生じたりしてレンズと撮像素子とのピントがずれてしまっても、撮像素子を取り付けた後、レンズと撮像素子とのピント調整を行うことができるので、安定した品質のレンズ駆動装置を提供できる。
【発明の効果】
【００１１】
本発明によれば、移動レンズ体をレンズ鏡筒と鏡筒ホルダとの２部材によって構成したことにより、レンズ鏡筒を光軸方向に移動させることでピント調整を行うことができるので、鏡筒ホルダの光軸方向の移動範囲を規制する規制部の位置が維持可能となり、駆動手段として鏡筒ホルダが有する第１の磁気的手段と固定体が有する第２の磁気的手段との位置関係を維持することができる。即ち、ピント調整を行うために規制部の位置を変化させる方法も考えられるが、規制部の位置を変化させた場合、規制部の位置の変化に伴って駆動手段の位置関係が変化するため、駆動手段の位置関係の変化を許容できる推力バランスを考慮した設計を行う必要があり、装置が大型化してしまう。本発明によれば、第１の磁気的手段と第２の磁気的手段との位置関係を維持することができるため、ピント調整を行っても、第１の磁気的手段と第２の磁気的手段との推力バランスが変化しない。故に、この一定の推力バランスを考慮した設計すなわち、最小の推力バランスに基づく設計ができ、装置の小型化が図れる。また、ピント調整による第１の磁気的手段と第２の磁気的手段とが干渉することも回避できる。
【発明を実施するための最良の形態】
【００１２】
以下、図面を参照しながら本発明にかかるレンズ駆動装置の実施の形態について説明する。なお、併せてレンズ駆動装置の製造方法およびカメラ付き携帯機器について説明する。各実施の形態は、携帯電話のような携帯機器のカメラ部分として搭載するのに適した構成となっているが、ＰＤＡ（Personal Degital Assistance）等他の携帯機器に搭載するようにしてもよい。
【００１３】
（全体構成）
図１は、本発明に係るレンズ駆動装置を示す断面図である。図２は、図１に示すレンズ駆動装置の分解斜視図である。
【００１４】
図１または図２に示すように、このレンズ駆動装置１は、カメラの撮影用のレンズ１４を保持する移動レンズ体１０と、移動レンズ体１０をレンズ１４の光軸１１の方向に沿って直動させる磁気駆動手段２９と、移動レンズ体１０および磁気駆動手段２９を収納する固定体となるケース体２４と、レンズ１４を通過した像が結像する撮像素子４４と撮像素子４４が固定された回路基板４５とから主に構成されている。尚、本形態においては、撮像素子４４はＣＭＯＳ(Complementary Metal Oxide Semiconductor)で構成されている。
【００１５】
移動レンズ体１０は、筒体内部にレンズ１４を備えたレンズ鏡筒１０ｂと、このレンズ鏡筒１０ｂを光軸１１の方向に移動可能に支持する鏡筒ホルダ１０ａとから構成されている。レンズ鏡筒１０ｂは、その一端に、中央が被写体からの反射光をレンズ１４に取り込む円形の入射窓１８を備えた有底部１０ｂ１を有し、この有底部１０ｂ１が図１の上側に来るように配設されている。有底部１０ｂ１の図示上面には、所定の治具を用いてレンズ鏡筒１０ｂを回転させるために形成された係合突起１０ｂ３及び係合溝１０ｂ４が、光軸１１の方向に凸設あるいは凹設されている。また、レンズ鏡筒１０ｂは、図１の上側が小径部に、下側が小径部より径の大きい大径部に形成されており、小径部の外壁には雄ねじ部１０５ｂが形成されている（図２参照）。レンズ１４は、レンズ鏡筒１０ｂの有底部１０ｂ１側から被写体側レンズ１４ａ、中間レンズ１４ｂ、カメラボディ側レンズ１４ｃの順に配設され、位置固定部材１４ｆが３枚のレンズ１４を押さえ込むようにレンズ鏡筒１０ｂの入り口１０ｂ２に固定されている。なお、被写体側レンズ１４ａと中間レンズ１４ｂとは絞りを兼ねたスペーサ１４ｄによって、また、中間レンズ１４ｂとカメラボディ側レンズ１４ｃとはスペーサ１４ｅによって間隔が一定に保持されている。
【００１６】
一方、鏡筒ホルダ１０ａは、円筒状に形成され、その外周は、図１の上側が小径部に、下側が小径部より径の大きい大径部に形成され、その境界に段部が形成されている。また、その内壁に雌ねじ部１０ａ１が形成されている（図２参照）。雌ねじ部１０ａ１は、雄ねじ部１０ｂ５と螺合している。すなわち、レンズ鏡筒１０ｂは、鏡筒ホルダ１０ａ内で回転可能に嵌合しており、レンズ鏡筒１０ｂを回転させることにより鏡筒ホルダ１０ａに対してレンズ鏡筒１０ｂを光軸１１の方向に移動させることができるようになっている。尚、鏡筒ホルダ１０ａには、その上面から突出した図示しない回転阻止部が形成されており、この回転阻止部が後述の第２ケース分割体４２に設けられた回転阻止溝４２ｄと係合されている。従って、レンズ鏡筒１０ｂを回転させる際の鏡筒ホルダ１０ａの共周りが阻止され、レンズ鏡筒１０ｂを効率良く移動させることができるようになっている。
【００１７】
鏡筒ホルダ１０ａの小径部には、第１の磁気的手段となる、リング状に形成された駆動マグネット１６が嵌められている。駆動マグネット１６は、上述した段部に当接された状態で鏡筒ホルダ１０ａに一体に固着されている。また、駆動マグネット１６は、図７に示すように、中央の孔を囲む部分がＮ極に着磁され、全体の外周部分がＳ極にそれぞれ単極着磁されている。尚、この着磁関係はＮＳが逆となるようにしても良い。
【００１８】
ケース体２４は、第１ケース分割体２６と第２ケース分割体４２とから構成されている。本形態においては、図１のように、第１ケース分割体２６が下側に配設され、第２ケース分割体４２が上側に配設されており、それぞれの外筒部２６ａ、４２ａから光軸１１の方向に張出した円筒状の張出部どうしが半径方向に係合することによって一体化されている。第１、第２ケース分割体２６、４２には第２の磁気的手段となる、リング状に形成された一対の駆動コイル２８、３０がそれぞれ固着されている。また、第１ケース分割体２６の下面には回路基板４５が固着されている。
【００１９】
第１ケース分割体２６は、筒状に形成され、外筒部２６ａの半径方向内側にこの外筒部２６ａの円周方向に沿って内筒部２６ｂが形成されている。この外筒部２６ａと内筒部２６ｂとは、連結部２６ｃによって連結され、外筒部２６ａ、内筒部２６ｂおよび連結部２６ｃによって断面Ｕ状のＵ溝が形成されている。内筒部２６ｂの上端面は、図１に示した通常撮影位置において、鏡筒ホルダ１０ａの下端面が当接する一方の規制部（当接部）としての端面２７となっている。
【００２０】
第２ケース分割体４２は、図１の上側に開口４２ｆを有する筒状に形成されている。また、第２ケース分割体４２は、外筒部４２ａの半径方向内側にこの外筒部４２ａの円周方向に沿って内筒部４２ｂが延設されており、この外筒部４２ａと内筒部４２ｂとは、連結部４２ｃによって連結され、外筒部４２ａ、内筒部４２ｂおよび連結部４２ｃによってＵ溝が形成されている。内筒部４２ｂには、図１に示した通常撮影位置から鏡筒ホルダ１０ａが上方に進出したマクロ撮影位置において、鏡筒ホルダ１０ａの上端面が当接する他方の規制部（当接部）としての突出縁３６が形成されている。突出縁３６には、鏡筒ホルダ１０ａの上面から突出した回転阻止部と係合される回転阻止溝４２ｄが設けられている（図２参照）。また、突出縁３６には、光軸１１の方向で下側に突出する突起部３６ａが設けられている。内筒部４２ｂの内壁側は、鏡筒ホルダ１０ａが光軸１１の方向に移動する際の案内部として鏡筒ホルダ１０ａの上端側の外壁に当接する摺動部４２ｅとなっている。
【００２１】
第１ケース分割体２６、第２ケース分割体４２のそれぞれに形成されたＵ溝の底には、リング状の第１磁性片３２、第２磁性片３４が固着されている。この第１磁性片３２、第２磁性片３４の上には、内筒部２６ｂ、４２ｂに内壁を当接するようにして第１駆動コイル２８、第２駆動コイル３０が固着され、上記Ｕ溝内に収納されている。そして、第１駆動コイル２８と第２駆動コイル３０とは光軸１１の方向に対向し、この第１、第２駆動コイルの光軸１１の方向の外側にそれぞれ第１磁性体３２と第２磁性体３４が配設される構造になっている。
【００２２】
移動レンズ体１０は、鏡筒ホルダ１０ａに設けられた駆動マグネット１６の図示上下面が第１駆動コイル２８と第２駆動コイル３０との間に挟まれるようにして、ケース体２４に収納されている。すなわち、駆動マグネット１６は、第１、第２駆動コイル２８、３０と光軸１１の方向に重合している。故に、第１駆動コイル２８および第２駆動コイル３０のいずれか一方または双方が通電されることにより、駆動マグネット１６が光軸１１の方向に移動するのに伴って鏡筒ホルダ１０ａが摺動部４２ｅを摺動し光軸１１の方向に移動するようになっている。尚、鏡筒ホルダ１０ａの下端側はどこにも当接されずフリーの状態になっている。
【００２３】
この第１、第２駆動コイル２８，３０の対向面間距離は、駆動マグネット１６の光軸１１の方向の厚さよりも大きく形成され、駆動マグネット１６と第１駆動コイル２８または第２駆動コイル３０との間には光軸１１の方向の間隙が生じている。故に、間隙の範囲内で駆動マグネット１６が移動でき、駆動マグネット１６と一体の鏡筒ホルダ１０ａも間隙分だけ光軸１１の方向に移動することができるようになっている。
【００２４】
一方で、図１に示した通常撮影位置においては、鏡筒ホルダ１０ａの下端面が、内筒部２６ｂの端面２７に当接し、第１駆動コイル２８と駆動マグネット１６との間にわずかな間隙を形成することにより、第１駆動コイル２８と駆動マグネット１６との衝突を阻止するように構成されている。そのため、第１駆動コイル２８または駆動マグネット１６の損傷を防止できる。
【００２５】
上記同様に、図１に示した通常撮影位置から鏡筒ホルダ１０ａが上方に進出したマクロ撮影位置においても、鏡筒ホルダ１０ａの上端面が突出縁３６に当接し、第２駆動コイル３０と駆動マグネット１６との間にわずかな間隙を形成することにより、第２駆動コイル３０と駆動マグネット１６との衝突を阻止するように構成されている。そのため、第２駆動コイル３０または駆動マグネット１６の損傷を防止できる。なお、上述の回転阻止溝４２ｄは、鏡筒ホルダ１０ａが通常撮影位置とマクロ撮影位置との間を移動しても鏡筒ホルダ１０ａの上面から突出した回転阻止部と常に係合するようになっている。
【００２６】
（レンズ駆動装置１の製造方法）
次に、レンズ駆動装置１の製造方法について図３ないし図６を参照しながら説明する。図３は、図１に示すレンズ駆動装置の分解断面図である。図４は、図１に示すレンズ駆動装置の要部断面図である。図５は、図１に示すレンズ駆動装置において、スペーサが設置される状態を示す第２ケース分割体部分の断面図である。図６は、図１のレンズ駆動装置を製造する際に使用されるスペーサを示す平面図である。
【００２７】
まず、第１ケース分割体２６に、第１磁性体３２、第１駆動コイル２８を順次配置する。第１磁性体３２は、図３に示すように、その両側に粘着剤となる粘着シート３３、３３を貼り付けたものとする。
【００２８】
同様にして、第２ケース分割体４２にも、第２磁性体３４、第２駆動コイル３０を順次配置する。第２磁性体３４にも両側に粘着シート３５、３５が貼り付けられている。その後、予め鏡筒ホルダ１０ａにレンズ鏡筒１０ｂを螺合した移動レンズ体１０を第１、第２ケース分割体２６、４２で挟むようにしてケース体２４に収納する。
【００２９】
次に、ケース体２４に収納された鏡筒ホルダ１０ａのマクロ撮影位置と通常撮影位置との移動範囲、即ち、鏡筒ホルダ１０ａのストロークを調整する。図４は、鏡筒ホルダ１０ａが下側の移動限界としての第１ケース分割体２６の端面２７に当接した状態の要部断面を示しており、上側の当接部となる突出縁３６に設けられた突起部３６ａと鏡筒ホルダ１０ａとの最大空隙長となるギャップｇ１が、鏡筒ホルダ１０ａのストロークに相当する。
【００３０】
このギャップｇ１を調整するには、スペーサ７６を用いる。スペーサ７６は、図５および図６に示すように、平板状で、外周に突出部７６ａを複数有し、中央部分に２つの貫通孔７６ｂ、７６ｂを有するものとなっている。ギャップｇ１の調整時には、スペーサ７６は、１本の糸７７が２つの貫通孔７６ｂ、７６ｂに通された状態とされる。
【００３１】
第１、第２ケース分割体２６、４２を嵌め合わせる前に、第２ケース分割体４２と鏡筒ホルダ１０ａとの間に、図５に示すように、１本の糸７７が２つの貫通孔７６ｂ、７６ｂに通された状態のスペーサ７６を配置する。１本の糸７７の両端は第２ケース分割体４２の開口４２ｆから外方に引き出された状態となる。その状態で第１、第２ケース分割体２６、４２を仮固定させる。そして、スペーサ７６を突起部３６ａと鏡筒ホルダ１０ａとでしっかり挟むように第１ケース分割体２６と第２ケース分割体４２とを光軸１１の方向に接近させる。やがて第１、第２ケース分割体２６、４２によってスペーサ７６をしっかり挟んだ状態になったとき、両者を接着剤や溶着によって完全に一体化する。その後、糸７７の両端をもってスペーサ７６を開口部４２ｆを通して抜き取る。この結果、スペーサ７６の厚みが最大空隙長であるギャップｇ１に等しくなる。
【００３２】
このようにして、鏡筒ホルダ１０ａのストロークが決定したケース体部が、カメラメーカまたは携帯機器メーカに納入される。納入されたケース体部は、メーカ側で撮像素子４４および回路基板４５が固定され、その後、レンズ鏡筒１０ｂと鏡筒ホルダ１０ａとを相対的に移動させてレンズと撮像素子４４とのピントが調整される。この調整は、レンズ鏡筒１０ｂに設けられた係合突起１０ｂ３または係合溝１０ｂ４に治具を係合して、レンズ鏡筒１０ｂを回転させることにより光軸１１の方向に移動させ、通常撮影位置またはマクロ撮影位置での画像を取得して、画像バランスが良くなる位置でレンズ鏡筒と鏡筒ホルダとを固定することで行われる。
【００３３】
（本形態の効果）
以上説明したように、本形態のレンズ駆動装置１では移動レンズ体１０が、レンズ１４を備えたレンズ鏡筒１０ｂとこのレンズ鏡筒１０ｂを光軸１１の方向に移動可能に支持する鏡筒ホルダ１０ａとから構成されているため、レンズ鏡筒１０ｂを光軸方向に移動させることでピント調整を行うことができる。即ち、鏡筒ホルダ１０ａの光軸１１の方向の移動範囲を規制する規制部としての端面２７および突出縁３６の位置が維持可能となり、通常撮影位置あるいはマクロ撮影位置において、駆動手段である駆動マグネット１６と第１駆動コイル２８及び第２駆動コイル３０との位置関係を一定に維持することができる。従って、ピント調整を行っても駆動マグネット１６と第１駆動コイル２８及び第２駆動コイル３０との推力バランスが変化しない。故にこの変化しない推力バランスを考慮した設計すなわち、最小の推力バランスに基づく設計ができ、レンズ駆動装置１の小型化を図ることができる。また、ピント調整による駆動マグネット１６と第１駆動コイル２８あるいは第２駆動コイル３０との干渉も回避できる。
【００３４】
また、鏡筒ホルダ１０ａ内周に形成された雌ねじ部１０ａ１とレンズ鏡筒１０ｂの外周に形成された雄ねじ部１０ｂ１とを螺合し、鏡筒ホルダ１０ａとレンズ鏡筒１０ｂとを相対的に回転させることによりレンズ鏡筒１０ｂを光軸１１の方向に移動させ、また、レンズ鏡筒１０ｂをねじの螺合によって鏡筒ホルダ１０ａに支持させることができるため、ピントの調整作業は元より、調整後レンズ鏡筒１０ｂと鏡筒ホルダ１０ａとの固定作業を容易、且つ確実に行うことができる。
【００３５】
さらに、レンズ駆動装置１の組立においては、移動レンズ体１０を内部に収納するケース体２４をケース半体である第１ケース分割体２６と第２ケース分割体４２とから構成し、
鏡筒ホルダ１０ａを、第１ケース分割体２６に設けられた端面２７に当接させるとともに、第２ケース分割体４２に設けられた突出縁３６の突起部３６ａと鏡筒ホルダ１０ａとの間にスペーサ７６を狭持するように、第１ケース分割体２６と第２ケース分割体４２とを光軸１１の方向に相対移動させた後、第１ケース分割体２６と第２ケース分割体４２とを固定し、その後にスペーサ７６を抜き取っている。そのため、スペーサ７６の厚みに相当する鏡筒ホルダ９ａのストロークを形成することができる。従って、第１ケース分割体２６の端面２７および第２ケース分割体４２の突出縁３６に対する鏡筒ホルダ１０ａのストロークを容易、且つ確実に形成することができる。
【００３６】
さらにまた、レンズ駆動装置１の組立においては、移動レンズ体１０を内部に収納するケース体２４をケース半体である第１ケース分割体２６と第２ケース分割体４２とから構成し、第１ケース分割体２６と第２ケース分割体４２には、それぞれ鏡筒ホルダ１０ａを挟持する規制部として当接部である端面２７と突出縁３６とを設けている。また、当接部の間の隙間を調整して第１ケース分割体２６と第２ケース分割体４２とを固定した後、第１ケース分割体２６にレンズ１４を透過した像が結像される撮像素子４４を回路基板４５を介して固定し、その後、レンズ鏡筒１０ｂと鏡筒ホルダ１０ａとを相対的に移動させてレンズ１４と撮像素子４４のピントを調整する。そのため、撮像素子４４を取り付けた後、レンズ１４と撮像素子４４とのピント調整を行うことができる。従って、撮像素子４４の寸法精度が悪くても、また撮像素子４４の取り付け誤差が生じてレンズ１４と撮像素子４４とのピントがずれてしまっても問題なく、安定した品質のレンズ駆動装置を提供できる。
【００３７】
本形態では、鏡筒ホルダ１０ａは、その上端側の外壁において第２ケース分割体４２に形成された案内部としての摺動部４２ｅに当接する一方、下端側では、どこにも当接されず、常にフリーの状態になっている。鏡筒ホルダ１０ａの下端側を案内する案内部を第１ケース分割体２６側に設ける場合、鏡筒ホルダ１０ａの上端側と下端側のそれぞれの案内部が異なる部材に分離されて形成されるため、２つの案内部の位置精度を確保しなければ鏡筒ホルダ１０ａの動作不良を招くが、鏡筒ホルダ１０ａの下端側がフリーの状態なので、その心配がない。しかも、下端側では摺動による摩擦抵抗が発生せず負荷を軽減でき、磁気駆動手段２９の小型化が図れる。さらに、鏡筒ホルダ１０ａがマクロ撮影位置（上側）から通常撮影位置（下側）に移動する際には、鏡筒ホルダ１０ａの移動方向の先端（下端）が第１ケース分割体２６の内筒部２６ｂの内壁側をこじって動作不良になる不具合もない。
【００３８】
ところで、鏡筒ホルダ１０ａの上端側しか案内されていないことにより、通常撮影位置とマクロ撮影位置との中間位置では、鏡筒ホルダ１０ａが光軸１１の方向に対し傾く可能性が生じるが、本実施の形態の場合、この中間位置では撮影を行わないため、鏡筒ホルダ１０ａが傾いても問題ない。中間位置で鏡筒ホルダ１０ａが傾いたとしても、鏡筒ホルダ１０ａが通常撮影位置に移動してしまえば、鏡筒ホルダ１０ａの下端面が、対向する内筒部２６ｂの端面２７に当接し鏡筒ホルダ１０ａの傾きを矯正できる。同様に、鏡筒ホルダ１０ａがマクロ撮影位置に移動してしまえば、鏡筒ホルダ１０ａの上端面が、対向する内筒部４２ｂの突出縁３６に当接して、鏡筒ホルダ１０ａの傾きを矯正できる。
【００３９】
本形態では、第１、第２磁性体３２、３４は、第１駆動コイル２８および第２駆動コイル３０の光軸１１の方向の外側にそれぞれ配置されバックヨークとしての機能の他に、駆動マグネット１６と関係して鏡筒ホルダ１０ａを位置保持させる機能を有している。即ち、図１に示す通常撮影位置では駆動コイル２８，３０に通電しなくても、駆動マグネット１６と第１磁性体３２との間に生じる磁気吸引力によって鏡筒ホルダ１０ａを位置保持することができる。この通常撮影位置から鏡筒ホルダ１０ａが上方に進出したマクロ撮影位置でも同様に駆動コイル２８，３０に通電しなくても、駆動マグネット１６と第１磁性体３２との間に生じる磁気吸引力によって鏡筒ホルダ１０ａを位置保持することができる。
【００４０】
（その他の実施の形態）
以上に説明した実施の形態は、本発明の好適な例であるが、本発明の要旨を逸脱しない範囲で種々変更実施可能である。たとえば、図２に示す実施の形態では、鏡筒ホルダ１０ａの内壁に雌ねじ部１０ａ１が形成されるとともに、レンズ鏡筒１０ｂの外壁に雄ねじ部１０ｂ１が形成されており、雌ねじ部１０ａ１と雄ねじ部１０ｂ１とが螺合しているが、必ずしも螺合関係になっている必要はなく、レンズ鏡筒ホルダ１０ａが鏡筒１０ｂを光軸１１の方向に移動可能に支持できればカムによって係合させても良い。また、単に軽圧入で構成しても構わない。軽圧入の場合、レンズ１４の光軸１１周りへ回転を阻止させるためにセレーション機構を用いても良い。
【００４１】
また、鏡筒ホルダ１０ａの内壁とレンズ鏡筒１０ｂの外壁とを軽圧入させるには両者の寸法精度をかなり厳しく管理する必要があるため、鏡筒ホルダ１０ａの内壁とレンズ鏡筒１０ｂの外壁とを遊嵌状態にし、両者のどちらか一方側からばね性を有する付勢部材を突出して他方側に当接させることにより、鏡筒ホルダ１０ａの内壁とレンズ鏡筒１０ｂの外壁とを付勢状態で当接させるようにしても良い。
【００４２】
鏡筒ホルダ１０ａの内壁とレンズ鏡筒１０ｂの外壁とを軽圧入させた場合のピント調整方法として、例えば以下に示す方法によって行うことができる。即ち、鏡筒ホルダ１０ａとレンズ鏡筒１０ｂとが半径方向に重合する壁にそれぞれ透孔を形成し、それぞれの透孔へ同時に嵌合するように外部から調整棒を挿入して、この調整棒を上下に動作させることによりピント調整を行うことができる。
【００４３】
また、他の調整方法としては、鏡筒ホルダ１０ａとレンズ鏡筒１０ｂとが半径方向に重合する壁の鏡筒ホルダ１０ａ側に丸穴を形成し、レンズ鏡筒１０ｂ側に光軸１１と直交方向（外周面の円周方向）に延びた長穴を形成して、この長穴へ外部から丸穴を介して挿入された偏芯ピンのピン先を係合し、偏芯ピンを回転させることによりレンズ鏡筒１０ｂを光軸１１の方向に移動させ、ピントを調整するようにしても良い。
【００４４】
さらに、図１に示すように、本形態では、鏡筒ホルダ１０ａとレンズ鏡筒１０ｂとの共回りを防止するための回転阻止部を鏡筒ホルダ１０ａ側に形成したが、レンズ鏡筒１０ｂ側に形成しても良い。即ち、鏡筒ホルダ１０ａとレンズ鏡筒１０ｂとの共周りが防止できれば良い。従って、図示しない回転阻止部に係合する突出縁３６に形成した回転阻止溝４２ｄも、必ずしも突出縁３６に設ける必要はないし、第１ケース分割体２６側に設けても良い。
【００４５】
さらにまた、図１に示すように、鏡筒ホルダ１０ａは、その上端側が、内筒部４２ｂの内壁側に形成された摺動部４２ｅによって案内される一方、下端側は、何も案内されずに、常にフリーの状態で光軸１１の方向に移動するようになっているが、第１ケース分割体２６の内筒部２６ｂの内壁側にも摺動部を形成し、鏡筒ホルダ１０ａの上端と下端とを同時に案内しながら光軸１１の方向に移動するようにしても良い。
【００４６】
さらに、本形態では、予め鏡筒ホルダ１０ａにレンズ鏡筒１０ｂを螺合した後、ケース体２４に収納させているが、まず鏡筒ホルダ１０ａのみをケース体２４に収納し、その後、鏡筒ホルダ１０ａにレンズ鏡筒１０ｂを螺合するようにしても良い。この場合、レンズ鏡筒１０ｂの入り口１０ｂ２の先端に周方向に複数の溝を設け、この溝に回転治具を係合してレンズ鏡筒１０ｂを回転させることが好ましい。
【００４７】
さらにまた、本形態の撮像素子４４はＣＭＯＳ(Complementary Metal Oxide Semiconductor)で構成されているが、ＣＭＯＳ以外にＣＣＤやＶＭＩＳ等を採用することができる。また、このレンズ駆動装置１は、カメラ付き携帯電話機のカメラ部分の機構として組み込まれるが、モバイルコンピュータ、ＰＤＡ等の他の携帯機器に使用したり、監視カメラ、医療用カメラ等他のカメラ装置や、自動車、テレビ等の電子機器にも組み込むことができる。
【産業上の利用可能性】
【００４８】
本発明は、カメラ装置に応用できる。また、カメラ機能を有する携帯電話機等の携帯機器に適用できる。さらには、レンズの位置切り換え機構を備えている電子機器であれば、すべての電子機器に組み込むことが可能である。
【図面の簡単な説明】
【００４９】
【図１】本発明に係るレンズ駆動装置を示す断面図である。
【図２】図１に示すレンズ駆動装置の分解斜視図である。
【図３】図１に示すレンズ駆動装置の分解断面図である。
【図４】図１に示すレンズ駆動装置の要部断面図である
【図５】図１に示すレンズ駆動装置において、スペーサが設置される状態を示す第２ケース分割体部分の断面図である。
【図６】図１のレンズ駆動装置を製造する際に使用されるスペーサを示す平面図である。
【図７】図１のレンズ駆動装置に用いられるマグネットを示す平面図である。
【符号の説明】
【００５０】
１  レンズ駆動装置
１０  移動レンズ体
１０ａ  鏡筒ホルダ
１０ａ１  雌ねじ部
１０ｂ  レンズ鏡筒
１０ｂ５  雄ねじ部
１１  光軸
１４  レンズ
１６  駆動マグネット（第１の磁気的手段）
１８  入射窓
２４  ケース体（固定体）
２６  第１ケース分割体（ケース半体）
２７  端面（規制部、当接部）
２９  磁気駆動手段（駆動手段）
２８  第１駆動コイル（第２の磁気的手段）
３０  第２駆動コイル（第２の磁気的手段）
３２  第１磁性体（第２の磁気的手段の一部）
３３  粘着シート（粘着剤）
３４  第２磁性体（第２の磁気的手段の一部）
３５  粘着シート（粘着剤）
３６  突出縁（規制部、当接部）
４２  第２ケース分割体（ケース半体）
４２ｃ  リング状の溝
４４  撮像素子
４５  回路基板
７６  スペーサ
ｇ１  ギャップ（最大空隙長）
【図１】
2005165210.tif 000003
【図２】
2005165210.tif 000004
【図３】
2005165210.tif 000005
【図４】
2005165210.tif 000006
【図５】
2005165210.tif 000007
【図６】
2005165210.tif 000008
【図７】
2005165210.tif 000009